(57)【要約】【課題】アプリケーションによる人形の制御方法及び対話型人形の操作方法、並びに人形の制御および操作のための装置を提供する。【解決手段】本発明は、携帯端末を介して人形とリンク接続し、携帯端末のアプリケーションによって、人形内のモノのインターネットの無線モジュールを無線ネットワーク基地局へ接続する設定を行う。そして、携帯端末のアプリケーションによって、音声メッセージをクラウドサーバに伝送し、無線ネットワーク基地局を経由してクラウドサーバにリンク接続することで、音声メッセージにアクセスすると共に、人形内のスピーカモジュールを通して音声メッセージを再生する。人形は、クラウドサーバ上の対話型アプリケーションにアクセスし、スピーカモジュール及び感知モジュールを用いて対話型アプリケーションと対話を実行することもできる。【選択図】図１
2015167859.tif 000002
【特許請求の範囲】
【請求項１】
アプリケーション（ＡＰＰ）による人形の制御方法であって、
携帯端末の無線ネットワークモジュールを介して人形とリンク接続すると共に、前記携帯端末にインストールされたアプリケーションによって、前記人形内のモノのインターネットの無線モジュールを無線ネットワーク基地局へ接続する設定を行うステップと、
前記携帯端末の前記アプリケーションによって、音声メッセージをクラウドサーバに伝送するステップと、
前記人形と接続している前記無線ネットワーク基地局を利用して前記クラウドサーバにリンク接続することで、前記音声メッセージにアクセスすると共に、前記人形内のスピーカモジュールを通して前記音声メッセージを再生するステップと、を含むことを特徴とする、アプリケーションによる人形の制御方法。
【請求項２】
前記携帯端末は、前記アプリケーション内から提供された無線ネットワークの名前とパスワードに基づいて、検索を行うと共に、前記人形にリンク接続することを特徴とする、請求項１に記載のアプリケーションによる人形の制御方法。
【請求項３】
前記携帯端末から前記無線ネットワーク基地局の設定データを含むブロードキャストパケットを伝送し、前記人形が前記ブロードキャストパケットを受信して読み取ることで、前記無線ネットワーク基地局に接続する設定を完了することを特徴とする、請求項１または請求項２に記載のアプリケーションによる人形の制御方法。
【請求項４】
前記人形の前記モノのインターネットの無線モジュールは、前記アプリケーションに設定された前記携帯端末の無線ネットワークの名前とパスワードに基づいて、ペアリングを行うと共に、前記携帯端末にリンク接続することを特徴とする、請求項１〜３のいずれか一項に記載のアプリケーションによる人形の制御方法。
【請求項５】
前記人形は、押しボタンの操作によって前記スピーカモジュールが前記音声メッセージを再生するように制御することを特徴とする、請求項１〜４のいずれか一項に記載のアプリケーションによる人形の制御方法。
【請求項６】
前記人形は、加速度センサにより前記人形の移動状態が検知されると共に、移動状態中に前記アプリケーションによって前記音声メッセージを自動再生するように設定することを特徴とする、請求項１〜５のいずれか一項に記載のアプリケーションによる人形の制御方法。
【請求項７】
前記人形の録音モジュールを介して録音した返信音声メッセージを、前記無線ネットワーク基地局を経由して前記クラウドサーバに伝送するステップ、をさらに含むことを特徴とする、請求項１〜６のいずれか一項に記載のアプリケーションによる人形の制御方法。
【請求項８】
前記人形の撮像モジュールを介して撮影した影像を、前記無線ネットワーク基地局を経由して前記クラウドサーバに伝送するステップ、をさらに含むことを特徴とする、請求項１〜７のいずれか一項に記載のアプリケーションによる人形の制御方法。
【請求項９】
対話型人形の操作方法であって、
携帯端末の無線ネットワークモジュールを介して人形とリンク接続すると共に、前記携帯端末により、前記人形のモノのインターネットの無線モジュールを設定することで、前記人形を無線ネットワーク基地局へ接続するステップと、
前記無線ネットワーク基地局とのリンク接続を利用して前記人形をクラウドサーバに接続することで、前記クラウドサーバ上の対話型アプリケーションにアクセスするステップと、
前記人形内のスピーカモジュールを通して前記対話型アプリケーションの内容メッセージを再生すると共に、前記人形内の感知モジュールにより、前記人形の操作状態を検知して返答メッセージを生成し、前記返答メッセージを前記対話型アプリケーションに返送し、前記対話型アプリケーションは、異なる前記返答メッセージに対して対応する対話型メッセージを生成することで対話を実行するステップと、を含むことを特徴とする、対話型人形の操作方法。
【請求項１０】
前記人形の前記感知モジュールは、加速度センサ及びジャイロスコープセンサを用いて前記人形の位置及び方向の変化を検知し、前記人形の位置及び方向の変化を引き起こす操作動作を前記返答メッセージに変換して前記対話型アプリケーションに返送することを特徴とする、請求項９に記載の対話型人形の操作方法。
【請求項１１】
さらに前記人形の録音モジュールを介して録音した返信音声メッセージを、前記対話型アプリケーションに返送し、前記対話型アプリケーションにより、前記返信音声メッセージで表す前記返答メッセージを認識すると共に、対応する前記対話型メッセージを生成することで対話を実行することを特徴とする、請求項９または請求項１０に記載の対話型人形の操作方法。
【請求項１２】
さらに前記携帯端末により前記クラウドサーバに接続すると共に、前記対話型アプリケーションをダウンロードし、前記携帯端末により音声メッセージを前記人形に伝送し、前記人形は、操作状態の設定に基づいて前記スピーカモジュールを通して前記音声メッセージを再生することを特徴とする、請求項９〜１１のいずれか一項に記載の対話型人形の操作方法。
【請求項１３】
さらに前記携帯端末により前記クラウドサーバに接続すると共に、前記対話型アプリケーションをダウンロードし、前記対話型アプリケーションは、前記携帯端末または前記携帯端末に接続されている表示装置を用いて前記対話型アプリケーションの対話型画面を表示させることを特徴とする、請求項９〜１２のいずれか一項に記載の対話型人形の操作方法。
【請求項１４】
さらに前記携帯端末の前記無線ネットワークモジュールを介して前記人形に接続し、前記返答メッセージを受信すると共に、前記携帯端末中の本来の感知装置で検知された感知メッセージの代わりに、前記人形より前記携帯端末にインストールされたアプリケーションを操作することを特徴とする、請求項９〜１３のいずれか一項に記載の対話型人形の操作方法。
【請求項１５】
人形の制御および操作のための装置であって、
内部にマイクロコントローラーが設けられ、前記マイクロコントローラーにそれぞれ接続されているモノのインターネットの無線モジュールと、スピーカモジュールと、感知モジュールとを有する人形と、無線ネットワークモジュールが設置されると共に、前記人形の前記モノのインターネットの無線モジュールを無線ネットワーク基地局へ接続するように設定するためのアプリケーションがインストールされた携帯端末と、を備え、
前記携帯端末は、前記アプリケーションによって、音声メッセージをクラウドサーバに伝送し、前記人形は、前記無線ネットワーク基地局を経由して前記クラウドサーバにリンク接続することで、前記音声メッセージにアクセスすると共に、前記人形内のスピーカモジュールを通して前記音声メッセージを再生することを特徴とする、人形の制御および操作のための装置。
【請求項１６】
前記人形には、前記マイクロコントローラーに接続されている表示ランプが設けられ、前記表示ランプは、新しいメッセージを受信すると、これに応じる状態を提示することを特徴とする、請求項１５に記載の人形の制御および操作のための装置。
【請求項１７】
返信音声メッセージを録音して前記クラウドサーバに返送するために、前記人形は、前記マイクロコントローラーに接続されている録音モジュールを有することを特徴とする、請求項１５または請求項１６に記載の人形の制御および操作のための装置。
【請求項１８】
前記クラウドサーバは、さらに対話型アプリケーションを含み、前記人形は、前記無線ネットワーク基地局を前記クラウドサーバに接続することで前記対話型アプリケーションにアクセスし、前記人形は、前記スピーカモジュールを通して前記対話型アプリケーションの内容情報を再生すると共に、前記感知モジュールにより検知した操作状態に基づいて返答メッセージを生成して前記対話型アプリケーションに返送し、前記対話型アプリケーションは、対応する対話型メッセージを生成することで対話を実行することを特徴とする、請求項１５〜１７のいずれか一項に記載の人形の制御および操作のための装置。
【請求項１９】
前記感知モジュールは、加速度センサと、ジャイロスコープセンサとを備え、前記人形の位置及び方向の変化を検知し、前記人形の位置及び方向の変化を引き起こす操作動作を前記返答メッセージに変換して前記対話型アプリケーションに返送することを特徴とする、請求項１８に記載の人形の制御および操作のための装置。
【請求項２０】
さらに前記携帯端末に接続されていると共に、前記対話型アプリケーションの対話型画面を表示させるための表示装置を備えることを特徴とする、請求項１８または請求項１９に記載の人形の制御および操作のための装置。
【発明の詳細な説明】
【技術分野】
【０００１】
本発明は、アプリケーション（ＡＰＰ）による人形の制御方法及びその装置に係り、特にアプリケーションを利用して人形の無線ネットワークのリンク接続を設定することによって、人形をクラウドサーバにリンク接続して音声メッセージをアクセスする方法及びその装置に関する。また、本発明は、対話型人形の操作方法及びその装置に係り、特に人形の感知モジュールを利用して人形の操作状態を検知することで、それを対話型アプリケーションと対話を実行する方法及びその装置に関する。
【背景技術】
【０００２】
現在、市場では、無線伝送やインターネット接続等の機能を有する各種のスマートフォン、タブレットＰＣ等のような装置が継続的にリリースされるようになり、知能型装置（スマートデバイス）の普及率も向上し続け、ほとんど民衆の日常生活に欠かせない一部となっていた。また、各種のアプリケーション（ＡＰＰ）の開発につれて、これらの知能型装置の機能はより一層向上され、とりわけ各種の通信関連のアプリケーションにおける、コミュニケーション及びメッセージを伝達する方法が従来から大きく変わってきた。
【発明の概要】
【発明が解決しようとする課題】
【０００３】
上記の知能型装置にとって、相互にメールまたはメッセージを伝達する方法は、既に普及しているが、そのような装置を所有していない子供に対しては、如何にして子供の身近の物体を利用してメッセージを伝達するかという別途の手段を模索する必要がある。子供が常に接触しているおもちゃ（例えば人形）について、現在、録音機能を有するものがある。録音機能を有する既知の人形は、予め伝達しようとする言葉を録音でき、再生して伝達することができる。しかし、この人形は、リンク接続機能・伝送機能を有していないため、外出して家を留守にする保護者では、即時にメッセージを録音して人形に伝送することができず、さらに、録音機能を有する人形に電力供給の必要があるに加えて、操作インターフェースの複雑さといった種々の直面すべき問題がある。
【０００４】
ところで、市販されている様々な人形の大半は、消費者を引きつけるために、人気のあるアニメキャラクターまたは各種の造型となっている。一般に、子どもに興味を持たせる人形の種類や人形を見比べて選ぶ親にとって、その選択基準は、外観、材質や価格等のいずれかの条件のほかならない。人形に具備する機能を考慮することが少なくなる。しかし、成長中の子どもにとって、毎日の人形との触れ合い時間がかなり長いため、もし人形にいくつかの設計を加えれば、人形がいくつかの機能（例えば音声の録音及び再生）を有することになり、これによって人形への興味を増大させるだけではなく、思いやりのある言葉を録音することで親と子の間の関係を向上させることができる。現在、機能を有する人形の主流は、このような録音再生機能付き人形となっている。
【０００５】
人形にある特殊な機能を新たに付加するためには、その目的を達成するため、必ず人形内にいくつかの電子装置を追加的に付設する必要がある。しかし、前述のとおり、子どもと人形の触れ合い時間は相当長時間になるため、これらの電子装置のインターフェース設計及び電力消費等の問題のいずれも、将来、消費者が見比べて選ぶ際に考慮する要素の一つとなる。従って、使用者が最も簡単な方式で人形を操作しながら関連する対話を行えることが本発明の達成しようとする主要目的である。
【０００６】
従って、本発明が提供されるアプリケーションによる人形の制御方法及びその装置によれば、人形に対する複雑な設定ステップが不要となる上、電池を頻繁に取り替える心配がない。知能型装置にインストールされたアプリケーションだけで人形を制御・設定することができ、アプリケーションによって、随時メッセージをインターネット接続された人形に伝送することができる。つまり、伝達しようとするメッセージを再生することが可能となり、前述した欠点を改善することができる。それとともに、本発明が提供する対話型人形の操作方法及びその装置は、人形内に設置されている感知装置を用いて人形の操作状態を検知し、それを対話型アプリケーションの対話や返答として、使用者が簡単に人形でいくつかの対話可能なアプリケーションを操作することができるので、前述した目標が達成される。
【課題を解決するための手段】
【０００７】
本発明は、上記のような従来技術の問題点に鑑みてなされたものであり、その目的は、従来の人形が無線ネットワークに接続するように設定し難く、かつ音声メッセージを即時に受信して再生することができない問題を解決するため、アプリケーションによって人形がインターネットに接続する設定が行われば、人形がネットワークのクラウドサーバのデータをアクセスして再生を行うことができるので、操作容易性の効果を達成することができる、アプリケーション（ＡＰＰ）による人形の制御方法及びその装置を提供することにある。それとともに、本発明の別の目的は、人形を対話型アプリケーションの操作プラットホームとする、対話型人形の操作方法及びその装置を提供することにある。人形は、一般の電子装置のような入力インターフェースを有しないが、人形内に備える感知装置を利用して人形の操作状態を検知することで、クラウドに接続して対話型アプリケーションの内容をアクセスや再生することができるほか、人形に対する操作動作を利用して返答することもできる。さらに、これらの対話型アプリケーション（例えば教育学習プログラムやゲームプログラム等）の対話交流機能を向上させることができ、使用者が簡単かつ楽しい方式で関連対話を行い、この対話型人形の使用上の効果を促進させることができる。
【０００８】
本発明の一目的に従って提案されるアプリケーション（ＡＰＰ）による人形の制御方法は、下記のステップを含む。つまり、携帯端末の無線ネットワークモジュールを介して人形とリンク接続すると共に、携帯端末にインストールされたアプリケーションによって、人形内のモノのインターネットの無線モジュールを無線ネットワーク基地局へ接続する設定を行うステップと、携帯端末のアプリケーションによって、音声メッセージをクラウドサーバに伝送するステップと、人形と接続している無線ネットワーク基地局を利用してクラウドサーバにリンク接続することで、音声メッセージにアクセスすると共に、人形内のスピーカモジュールを通して音声メッセージを再生するステップと、を含む。
【０００９】
また、携帯端末は、アプリケーション内から提供された無線ネットワークの名前とパスワードに基づいて、検索を行うと共に、人形にリンク接続することが好ましい。
【００１０】
また、携帯端末から無線ネットワーク基地局の設定データを含むブロードキャストパケットを伝送し、人形がブロードキャストパケットを受信して読み取ることで、無線ネットワーク基地局に接続する設定が完了することが好ましい。
【００１１】
また、人形のモノのインターネットの無線モジュールは、アプリケーションに設定された携帯端末の無線ネットワークの名前とパスワードに基づいて、ペアリングを行うと共に、携帯端末にリンク接続することがより好ましい。
【００１２】
また、人形は、押しボタンの操作によってスピーカモジュールが音声メッセージを再生するように制御することがより好ましい。
【００１３】
また、人形は、加速度センサにより人形の移動状態が検知されると共に、アプリケーションによって移動状態中に音声メッセージを自動再生するように設定することがより好ましい。
【００１４】
また、アプリケーションによる人形の制御方法は、人形の録音モジュールを介して録音した返信音声メッセージを、無線ネットワーク基地局を経由してクラウドサーバに伝送するステップ、をさらに含むことが好ましい。
【００１５】
また、アプリケーションによる人形の制御方法は、人形の撮像モジュールを介して撮影した影像を、無線ネットワーク基地局を経由してクラウドサーバに伝送するステップ、をさらに含むことが好ましい。
【００１６】
本発明の別の目的による対話型人形の操作方法は、下記のステップを含む。つまり、携帯端末の無線ネットワークモジュールを介して人形とリンク接続すると共に、携帯端末により、人形のモノのインターネットの無線モジュールを設定することで、人形を無線ネットワーク基地局へ接続するステップと、無線ネットワーク基地局とのリンク接続を利用して人形をクラウドサーバに接続することで、クラウドサーバ上の対話型アプリケーションにアクセスするステップと、人形内のスピーカモジュールを通して対話型アプリケーションの内容メッセージを再生すると共に、人形内の感知モジュールにより、人形の操作状態を検知して返答メッセージを生成し、返答メッセージを対話型アプリケーションに返送し、対話型アプリケーションは、異なる返答メッセージに対して対応する対話型メッセージを生成することで対話を実行するステップ、を含む。
【００１７】
また、人形の感知モジュールは、加速度センサ及びジャイロスコープセンサを用いて人形の位置及び方向の変化を検知し、人形の位置及び方向の変化を引き起こす操作動作を返答メッセージに変換して対話型アプリケーションに返送することが好ましい。
【００１８】
また、対話型人形の操作方法は、さらに人形の録音モジュールを介して返信音声メッセージを録音し、録音した返信音声メッセージを対話型アプリケーションに返送し、対話型アプリケーションにより、返信音声メッセージで表す返答メッセージを認識すると共に、対応する対話型メッセージを生成することで対話を実行することが好ましい。
【００１９】
また、対話型人形の操作方法は、さらに携帯端末によりクラウドサーバに接続すると共に、対話型アプリケーションをダウンロードし、携帯端末により音声メッセージを人形に伝送し、人形は、操作状態の設定に基づいてスピーカモジュールを通して音声メッセージを再生することが好ましい。
【００２０】
また、対話型人形の操作方法は、さらに携帯端末によりクラウドサーバに接続すると共に、対話型アプリケーションをダウンロードし、対話型アプリケーションは、携帯端末または携帯端末に接続されている表示装置を用いて対話型アプリケーションの対話型画面を表示させることが好ましい。
【００２１】
また、対話型人形の操作方法は、さらに携帯端末の無線ネットワークモジュールを介して人形に接続し、返答メッセージを受信すると共に、携帯端末中の本来の感知装置で検知された感知メッセージの代わりに、人形より携帯端末にインストールされたアプリケーションを操作することが好ましい。
【００２２】
本発明のさらに別の目的による人形の制御と操作装置は、人形と、携帯端末と、を備える。人形は、内部にマイクロコントローラーが設けられ、マイクロコントローラーにそれぞれ接続されているモノのインターネットの無線モジュールと、スピーカモジュールと、感知モジュールとを有する。携帯端末は、無線ネットワークモジュールが設置されると共に、人形のモノのインターネットの無線モジュールを無線ネットワーク基地局へ接続するように設定するためのアプリケーションがインストールされた。その中、携帯端末は、アプリケーションによって、音声メッセージをクラウドサーバに伝送し、人形は、無線ネットワーク基地局を経由してクラウドサーバにリンク接続することで、音声メッセージをアクセスすると共に、スピーカモジュールを通して音声メッセージを再生する。
【００２３】
また、人形には、マイクロコントローラーに接続されている表示ランプを有し、表示ランプは、新しいメッセージを受信すると、これに応じる状態を提示することがより好ましい。
【００２４】
また、返信音声メッセージを録音してクラウドサーバに返送するために、人形には、マイクロコントローラーに接続されている録音モジュールを有することがより好ましい。
【００２５】
また、前記クラウドサーバには、さらに対話型アプリケーションを含み、人形は、無線ネットワーク基地局をクラウドサーバに接続することで対話型アプリケーションをアクセスし、その中、人形は、スピーカモジュールを通して対話型アプリケーションの内容情報を再生すると共に、感知モジュールにより検知した操作状態に基づいて返答メッセージを生成して対話型アプリケーションに返送し、対話型アプリケーションは、対応する対話型メッセージを生成することで対話を実行することが好ましい。
【００２６】
また、感知モジュールは、加速度センサと、ジャイロスコープセンサとを備え、人形の位置及び方向の変化を検知し、人形の位置及び方向の変化を引き起こす操作動作を返答メッセージに変換して対話型アプリケーションに返送することが好ましい。
【００２７】
また、人形の制御と操作装置は、さらに携帯端末に接続されていると共に、対話型アプリケーションの対話型画面を表示させるための表示装置を備えることが好ましい。
【発明の効果】
【００２８】
上記説明したとおり、本発明に係るアプリケーション（ＡＰＰ）による人形の制御方法及び対話型人形の操作方法、並びに人形の制御と操作装置は、以下に示す１つまたは複数の長所を有する。
【００２９】
（１）このアプリケーション（ＡＰＰ）による人形の制御方法及び対話型人形の操作方法、並びに人形の制御および操作のための装置によれば、使用者がいつでもどこでもアプリケーションを利用して音声メッセージを伝送することができると共に、人形は、インターネットを介してクラウドサーバに接続して前記音声メッセージを再生することができるから、メッセージ伝達の即時性を増すことができる。
【００３０】
（２）このアプリケーション（ＡＰＰ）による人形の制御方法及び対話型人形の操作方法、並びに人形の制御および操作のための装置は、アプリケーションを利用して人形と無線ネットワーク基地局との接続を設定することにより、人形自体の使用設定を減少させ、その使用の利便性を増大させることができる。
【００３１】
（３）このアプリケーション（ＡＰＰ）による人形の制御方法及び対話型人形の操作方法、並びに人形の制御および操作のための装置は、人形の各モジュールをマイクロコントローラー内に整合させると共に、省電力メカニズムの設計により、人形の使用寿命（使用時間）が長く、電池を頻繁に取り替える必要がない特性を有する。
【００３２】
（４）このアプリケーション（ＡＰＰ）による人形の制御方法及び対話型人形の操作方法、並びに人形の制御および操作のための装置は、使用者が人形を用いて対話型アプリケーションと対話を行い、簡単かつ楽しい方式で対話型アプリケーションを操作することができるので、その他の操作装置及びインターフェースを追加的に付設する必要はない。
【００３３】
（５）このアプリケーション（ＡＰＰ）による人形の制御方法及び対話型人形の操作方法、並びに人形の制御と操作装置は、携帯端末で対話型アプリケーションをダウンロードして、携帯端末を利用してメッセージを伝送することで人形と対話を実行することができ、使用者がさらに携帯端末を利用して人形と対話を行い、対話機能の多様性を向上させることができる。
【００３４】
（６）このアプリケーション（ＡＰＰ）による人形の制御方法及び対話型人形の操作方法、並びに人形の制御と操作装置は、携帯端末または携帯端末に接続されている表示装置を用いて対話型アプリケーションの対話型画面を表示させることができるので、対話内容をより直接的に表現させることができる。
【図面の簡単な説明】
【００３５】
【図１】本発明のアプリケーションによる人形の制御方法を示すフローチャートである。
【図２】本発明のアプリケーションによる人形の制御方法及び対話型人形の操作方法を示す模式図である。
【図３】本発明において、人形をインターネット接続する設定の一実施形態を示すフローチャートである。
【図４】本発明において、人形をインターネット接続する設定の別の実施形態を示すフローチャートである。
【図５】本発明において、人形をインターネット接続する設定のさらに別の実施形態を示すフローチャートである。
【図６】本発明の対話型人形の操作方法を示すフローチャートである。
【図７】本発明のアプリケーションによる人形の制御装置を示すブロック図である。
【図８】本発明の人形構造を示すブロック図である。
【図９】本発明の対話型人形の操作装置を示すブロック図である。
【図１０】本発明の対話型アプリケーションを示すブロック図である。
【図１１】本発明の別のアプリケーションによる人形の制御装置及び対話型人形の操作装置を示すブロック図である。
【発明を実施するための形態】
【００３６】
本発明をより完全に理解するために、本発明の技術特徴、内容と長所及び達成できる作用効果については、添付図面を参照して、実施例の表現形式で以下のように詳細に説明される。しかし、図示された図面は、単に例示または明細書内容を補助することを目的としたものであって、本発明の実施後の原寸に比例したものや精確に配置したものには何ら限定されない。よって、図示された図面は、添付図面の比例と配置関係で解釈されてはならず、本発明を実際に実施する権利範囲に制限することを意図したものではないことについて先に説明しておきたい。
【００３７】
図１は、本発明のアプリケーションによる人形の制御方法を示すフローチャートである。図１に示すように、当該方法は、下記のステップを含む。Ｓ０１において、無線ネットワークモジュールを介して携帯端末を人形とリンク接続すると共に、携帯端末にインストールされたアプリケーションによって、人形内のモノのインターネットの無線モジュールを無線ネットワーク基地局へ接続するための設定を行う。Ｓ０２において、携帯端末のアプリケーションによって、音声メッセージをクラウドサーバに伝送する。Ｓ０３において、人形と接続している無線ネットワーク基地局を利用してクラウドサーバにリンク接続することで、音声メッセージにアクセスすると共に、人形内のスピーカモジュールを通して音声メッセージを再生する。ここで、携帯端末は、スマートフォンまたはタブレットＰＣであってもよく、その装置に内蔵した無線ネットワークモジュール（例えば、ＷｉＦｉ、３ＧやＬＴＥ等）によって、インターネットにリンク接続し、人形を操作するアプリケーション（ＡＰＰ）をオンラインダウンロードすると共に、携帯端末内にインストールする。このアプリケーションは、携帯端末を人形に接続できるように補助するためのものであり、人形のモノのインターネットの無線モジュールを家中の無線ネットワーク基地局へ接続するように設定することもできる。設定が完了した後に、使用者は、アプリケーションを利用して音声メッセージを録音し、そしてこの音声メッセージをクラウドサーバにアップロードすることができる。それから、人形は、無線ネットワーク基地局を経由してクラウドサーバにリンク接続することで、音声メッセージをアクセスすると共に、人形内の拡声器を通して音声メッセージを再生することができる。ここで、モノのインターネットとは、インターネットの環境において、一般の物理的実体または設備が、電子デジタルの標識タグまたは指定アドレスに基づいて、その物理的対象と相互に接続・通信可能なネットワークを意味する。つまり、このモノのインターネットを介して特定物体位置を検索することができ、またはそれに対して連結、管理制御することもできる。人形のモノのインターネットの無線モジュールと無線ネットワーク基地局との詳細な接続方法については、後述する実施例において説明する。
【００３８】
図２は、本発明のアプリケーションによる人形１の制御方法を示す模式図である。図２を参照し、使用者は、その携帯電話２ａを利用してアプリケーションをダウンロードし、インストールした後に、人形１に対して設定を行うことによって、それを家中の無線ネットワークルーター３に接続する。設定が完了した後に、使用者は、どこにいても、インターネットにリンク接続できれば、携帯電話２ｂのアプリケーションを利用して一区切りの音声メッセージを録音することができると共に、インターネットによってクラウドサーバ４にアップロードして格納することもできる。人形１は、家の中の無線ネットワークルーター３を経由してクラウドサーバ４に接続し、そしてこの音声メッセージにアクセスし、最後に人形１のスピーカーを通してこのメッセージを再生する。
【００３９】
図３〜図５は、それぞれ携帯端末のアプリケーションを利用して人形内のモノのインターネットの無線モジュールがインターネットに接続する方法を説明するための図である。それらは、子供が人形を取得した後に、行う必要がある複雑な設定ステップを減少させるために、これらの設定を携帯端末のアプリケーションが制御するように変更する。その操作方法は以下の通りである。
【００４０】
図３は、本発明において、人形がインターネットに接続するように設定する一実施形態を示すフローチャートである。図３に示すように、人形がインターネットに接続するように設定するステップは、Ｓ１０１にて、携帯端末のアプリケーションをインストールするステップと、Ｓ１０２にて、人形のモノのインターネットの無線モジュールのネットワーク位置を検索するステップと、Ｓ１０３にて、人形に接続すると共に、無線ネットワーク基地局の情報を入力するステップと、Ｓ１０４にて、モノのインターネットの無線モジュールがモードを変換して無線ネットワーク基地局にリンク接続するステップと、を含む。ここで、人形が工場出荷時の設定は、特定のネットワーク位置とパスワードを有するＡＰモードであり、携帯端末にアプリケーションをインストールした後に、アプリケーションは、人形のシリアル番号に基づいて、この特定のネットワーク位置を検索し始め、アプリケーションに内包されたパスワードで人形のモノのインターネットの無線モジュールとリンク接続する。この時、アプリケーションによって、家中の無線ネットワーク基地局のネットワーク位置とパスワードを入力して人形に伝送することができる。再起動を経た後に、人形がＣｌｉｅｎｔモードに移行すれば、入力したばかりの無線ネットワーク基地局の情報を利用して検索を行うと共に、接続を完了させる。接続が成功してネットワークにリンクした後に、使用者の携帯端末には、この人形が表示され、後続の操作を行うことが可能となる。一方、所定時間を超えてもリンク接続していない場合、リンク接続失敗の原因をアプリケーションの画面に表示する。
【００４１】
図４は、本発明において、人形がインターネットに接続するように設定する別の実施形態を示すフローチャートである。図４に示すように、人形がインターネットに接続するように設定するステップは、Ｓ１１１にて、携帯端末のアプリケーションをインストールするステップと、Ｓ１１２にて、無線ネットワーク基地局の情報を入力するステップと、Ｓ１１３にて、無線ネットワーク基地局の情報を含むブロードキャストパケットを発信するステップと、Ｓ１１４にて、モノのインターネットの無線モジュールがブロードキャストパケットを受信して読み取ることで、リンク接続設定を完了するステップと、を含む。ここで、人形が工場出荷時の設定は、Ｃｌｉｅｎｔモードである。携帯端末にアプリケーションをインストールした後に、アプリケーションは、家中の無線ネットワーク基地局のネットワーク位置とパスワード情報を入力するように要求し、入力が完了した後に、アプリケーションによって、無線ネットワーク基地局の情報を含むブロードキャストパケットを発信する。このブロードキャストパケットが特殊コードであり、人形のモノのインターネットの無線モジュールでしか読み取ることができない。そこで、人形のモノのインターネットの無線モジュールがこのブロードキャストパケットを受信した後に、含まれた無線ネットワーク基地局の情報に基づいて、リンク接続設定を行う。リンク接続が成功した後に、使用者の携帯端末には、この人形が表示され、後続の操作を行うことが可能となる。一方、所定時間を超えてもリンク接続していない場合、リンク接続失敗の原因をアプリケーションの画面に表示する。
【００４２】
図５は、本発明において、人形がインターネットに接続するように設定するさらに別の実施形態を示すフローチャートである。図５に示すように、人形がインターネットに接続するように設定するステップは、Ｓ１２１にて、携帯端末のアプリケーションをインストールするステップと、Ｓ１２２にて、アプリケーションによって携帯端末のネットワーク位置を設定するステップと、Ｓ１２３にて、モノのインターネットの無線モジュールが携帯端末のネットワーク位置を検索してペアリングを完了するステップと、Ｓ１２４にて、無線ネットワーク基地局の情報を入力してリンク接続設定を完了するステップと、を含む。ここで、人形が工場出荷時の設定は、Ｃｌｉｅｎｔモードであり、かつ特定のリンク接続情報が既に設定されている。携帯端末にアプリケーションをインストールした後に、アプリケーションは、一組の携帯端末のネットワーク位置を自動設定し、このネットワーク位置が人形のリンク接続情報に対応するので、人形のモノのインターネットの無線モジュールは、対応するネットワーク位置を検索することができ、そしてペアリングを行って携帯端末にリンク接続する。それから、応用装置によって、家中の無線ネットワーク基地局のネットワーク位置とパスワード情報を入力して人形に伝送することができる。伝送が完了した後に、人形は、それらに基づいて、リンク接続を行った結果、無線ネットワーク基地局へ接続するように設定する。リンク接続が成功した後に、使用者の携帯端末には、この人形が表示され、後続操作を行うことが可能となる。一方、所定時間を超えてもリンク接続していない場合、リンク接続失敗の原因をアプリケーションの画面に表示する。
【００４３】
図６は、本発明の対話型人形の操作方法を示すフローチャートである。図６に示すように、この方法は、下記のステップを含む。Ｓ１１にて、携帯端末の無線ネットワークモジュールを介して人形とリンク接続すると共に、携帯端末により、人形のモノのインターネットの無線モジュールを設定することで、人形を無線ネットワーク基地局へ接続する。Ｓ１２にて、無線ネットワーク基地局とのリンク接続を利用して人形をクラウドサーバに接続することで、クラウドサーバ上の対話型アプリケーションにアクセスする。また、Ｓ１３にて、人形内のスピーカモジュールを通して対話型アプリケーションの内容メッセージを再生すると共に、人形内の感知モジュールにより、人形の操作状態を検知して返答メッセージを生成し、返答メッセージを対話型アプリケーションに返送し、対話型アプリケーションは、異なる返答メッセージに対して対応する対話型メッセージを生成することで対話を実行する。ここで、携帯端末は、スマートフォンまたはタブレットＰＣであってもよく、その装置に内蔵した無線ネットワークモジュール（例えば、ＷｉＦｉやブルートゥース等）によって、人形とリンク接続し、携帯端末に設定された人形のモノのインターネットの無線モジュールを経由してそれを家の中の無線ネットワーク基地局へ接続し、電子デジタルタグ表示や固定アドレスを利用して人形をインターネットと相互通信させることができ、即ち、無線ネットワーク基地局とのリンク接続を利用して人形をクラウドサーバに接続することができる。クラウドサーバ上の対話型アプリケーションは、様々な種類があって、例えば教育学習プログラム、ゲームプログラムまたは各種のオンラインサービスプログラムを含み、使用者が人形上の操作押しボタンを利用してこれらの対話型アプリケーションを起動し、操作押しボタンの設定または人形に備えるセンサにより、人形の動作を検知し、実行する対話型アプリケーションを選択すると共に、人形内のスピーカー再生プログラムの内容に基づいてこれらの対話型アプリケーションを実行すると同時に、返答の必要な部分については、センサを利用して人形に対する使用者の操作動作を検知し、検知したメッセージを対話型アプリケーションに合わせた返信としてプログラムに返送し、返答メッセージを受信した後に、対話型アプリケーションは、異なる返答に対して異なる結果を生成すると共に、この対話型アプリケーションを終了するまで人形により再生し続ける。さらに詳細な対話操作方式については、後述する実施例において説明する。
【００４４】
図２は、本発明の対話型人形の操作方法を示す模式図である。再び図２を参照し、使用者は、携帯電話２ａの無線ネットワーク機能を利用して人形１とリンク接続し、人形１のモノのインターネットの無線モジュールを設定することで、それを家の中の無線ネットワークルーター３にリンク接続することができる。設定が完了した後に、人形１は、無線ネットワークルーター３を経由してインターネットに接続してクラウドサーバ４に接続することができる。クラウドサーバ４の中には、各種の異なる対話型アプリケーション５を含み、人形１は、インターネット接続を介して対話型アプリケーション５にアクセスして実行し、人形１により再生すると共に、実行中、プログラムの内容を人形１の操作で返答することで、その対話可能な効果が達成される。
【００４５】
図７は、本発明のアプリケーションによる人形の制御装置を示すブロック図である。図７に示すように、アプリケーションによる人形の制御装置は、人形１０と、携帯端末２０と、無線ネットワーク基地局３０と、クラウドサーバ４０と、を備える。ここで、人形１０は、内部にマイクロコントローラー１００が設けられ、マイクロコントローラー１００にそれぞれ接続されているモノのインターネットの無線モジュール１０１と、スピーカモジュール１０２とを有する。携帯端末２０は、無線ネットワークモジュール２００と、インストールされたアプリケーション２０１と、を備え、使用者は、アプリケーション２０１によって、人形１０のモノのインターネットの無線モジュール１０１と無線ネットワーク基地局３０との接続を設定することができる。リンク接続が完了した後に、使用者は、携帯端末２０のアプリケーション２０１によって、オーディオファイルを録音または選択してから、無線ネットワークモジュール２００によって、プロバイダーから提供されたクラウドサーバ４０にアップロードする。この時、人形１０が無線ネットワーク基地局３０に接続するように設定したので、クラウドサーバ４０にリンク接続することによって、アップロードしたオーディオファイルを受信し、そしてスピーカモジュール１０２を通してこの音声メッセージを放音することができる。
【００４６】
図８は、本発明の人形構造を示すブロック図である。図示のように、人形１１の内部構造は、主にマイクロコントローラー１１０と、モノのインターネットの無線モジュール１１１とを備え、モノのインターネットの無線モジュール１１１とマイクロコントローラー１１０とは、ＳＤＩＯで相互に連結し、電源供給装置１１８から電力が提供され、電源供給装置１１８は、４本のＡＡ電池を含んでもよい。モノのインターネットの無線モジュール１１１は、アンテナ１１７を含む。その他、マイクロコントローラー１１０は、それぞれＵＳＢで人形１１のスピーカモジュールとしてのスピーカー１１２と、人形１１の録音モジュールとしてのマイクロホン１１３と、人形１１の撮像モジュールとしてのカメラ１１４とを接続することができる。ここで、スピーカー１１２は、人形１１が音声を出力する装置である。マイクロホン１１３とカメラ１１４は、それぞれ返信音声メッセージを録音可能な入力装置、写真を撮影可能な入力装置であり、いずれも受信したメッセージを返答するための入力装置である。その他、押しボタン１１５及びＬＥＤ表示ランプ１１６を操作インターフェース上に設置してマイクロコントローラー１１０に接続する。ＬＥＤ表示ランプ１１６は、クラウドサーバのメッセージを受信すると、ランプ信号を点滅させて人形１１付近にいる使用者に通知し、使用者は、押しボタン１１５の押圧操作によって、受信した音声メッセージを再生することができる。一方、新しいメッセージを受信していない場合、ランプ信号を消灯させる。この時、押しボタン１１５の押圧操作によって、この前に受信した音声メッセージを聞くことができる。操作インターフェース上の簡素化を図るために、押しボタン１１５及びＬＥＤ表示ランプ１１６を同一位置に設置することにより達成できる。
【００４７】
マイクロ電気機械システム全体の設計に合わせて人形１１のマイクロコントローラー１１０は、従来のプロセッサに比べて、より省電力化を図ることができる。さらに、各種の省電力メカニズムに合わせて、例えばマイクロコントローラー１１０により、モノのインターネットの無線モジュール１１１のウェイクオン時間を設定することができるから、それを無線ネットワーク基地局に随時に接続する必要がなくなるため、８０％以上の電力を節約できる。また、スピーカー１１２をオフ状態にし、使用者が再生押しボタン１１５を押圧するまでに起動すればよい。これにより、全体架構に要する電気量を最低量に低減できるので、４本のＡＡ電池があれば、人形１１に十分かつ長時間にわたって使用できる電気量を供給することができる。人形１１は、主に子供の身近のおもちゃの１つであるため、省電力化かつ電池を頻繁に取り替える必要がないことを考慮することが非常に重要となる。
【００４８】
また、図１１は、本発明の別のアプリケーションによる人形の制御装置を示すブロック図である。図示のように、人形１１は、マイクロコントローラー１１０を備え、前述したインターネット接続モジュールと、出力モジュール及び電力供給モジュールを除き、また加速度センサ１２１と、ジャイロスコープセンサ１２２と、距離センサ１２３と、照度センサ１２４と、高さセンサ１２５と、電子コンパス１２６とを接続してもよい。ここで、加速度センサ１２１は、人形１１の移動状態を検知することができ、人形１１を抱きかかえた際に加速度センサ１２１をトリガさせ、これによってマイクロコントローラー１１０により、スピーカーを起動して音声メッセージを自動再生することができ、しかも再生押しボタンを押圧する必要なく、長時間にわたって移動しなかった場合、さらに比較的長いウェイクオン時間を設定することができ、しかも電力を節約できる。また、ジャイロスコープセンサ１２２は、加速度センサ１２１に合わせて人形１１の使用状態を検知することができる。例えば人形１１が特定動作を行う時に、予め録音した音声を発生することができ、あるいは音声を再生してアラームとして機能する。この場合、設定した動作が必要であり、例えば人形１１を所定回数だけ回転させなければ、アラームを解除することができない。これとは別に、距離センサ１２３、照度センサ１２４や高さセンサ１２５とも合わせて人形１１の使用状態を検知することができる。使用者が人形１１付近にいると検知されると、人形１１を触らなければ追加の省電力メカニズムは起動しない。夜の睡眠時間において、照度センサ１２４により、周囲の輝度が低いと検知されると、受信した音声メッセージは自動再生しないようにする。高さセンサ１２５により、人形１１が異なる高さ（例えば異なる階の部屋に位置している時）に位置していると検知されると、これに対して異なる再生機能を設定することも可能である。その他、人形１１は、さらに位置決めシステムに合わせて使用する電子コンパス１２６を備え、電子コンパス１２６は、人形１１の所在位置に基づいて、伝送するメッセージの内容または再生方法を決定する。上記の各種の付加感知装置は、マイクロ電気機械システムまたは部品を利用して各種の機能を人形構造内に整合することができ、使用者は、人形の操作に対してより一層好適に体験させることができる。
【００４９】
図９は、本発明の別の対話型人形の操作装置を示すブロック図である。図示のように、人形１０の内部には、マイクロコントローラー１００を備え、マイクロコントローラー１００には、モノのインターネットの無線モジュール１０１と、スピーカモジュール１０２と、感知モジュール１０３とがそれぞれ接続されている。携帯端末２０の内部には、無線ネットワークモジュール２００を備え、無線ネットワークモジュール２００を介して人形１０のモノのインターネットの無線モジュール１０１を無線ネットワーク基地局３０に接続するように設定し、リンク接続が完了した後に、人形１０は、無線ネットワーク基地局３０を経由してプロバイダが提供するクラウドサーバ４０に接続し、クラウドサーバ４０の中には、各種の対話型アプリケーション４００を含み、使用者が人形１０の操作によって必要な対話型アプリケーション４００を選択してスピーカモジュール１０２を通して再生することができる。スピーカモジュール１０２は、人形１０内に設置された拡声器（例えばスピーカー）であり、対話型アプリケーション４００が選択、返答を求めている場合、感知モジュール１０３により、使用者が人形１０に対して行う動作（例えば、回転、揺動等）を検知し、その動作に対応するメッセージを対話型アプリケーション４００に返送し、対話型アプリケーション４００により、受信された返答を判定して対応する結果を生成する。その結果を再び人形１０に返送して次のステップの内容を継続的に実行する。
【００５０】
この場合、人形１０は、携帯電話やノートパソコンのようなタッチパッドやキーボード等の入力装置を有しないが、一部の対話型アプリケーション４００（例えば教育学習プログラム）に対して、必ずしも複雑な入力インターフェースが必要というわけではなく、選択、確認等の操作によりプログラムと対話を実行することを簡単な動作で済ませられる。しかしながら、もし対話型アプリケーション４００の機能をより一層向上させるためには、さらに携帯端末２０を経由してクラウドサーバ４０に接続し、関連する対話型アプリケーション４００をダウンロードし、プログラム内容を表示装置に画面方式で表現させでもよく（ここでの表示装置２０２は、本来の携帯端末に備えるスクリーンであってもよい）、また、ミラキャスト（Ｍｉｒａｃａｓｔ）方式でテレビに接続して表現させてもよい。本来の人形１０は、音声しか再生できない制限があるが、表示装置２０２に表現された文字や図形により、対話型アプリケーション４００の効果をより一層達成することができる。ほかに、携帯端末２０には、下位階層通信方式を変換するアプリケーションをインストールしてもよく、それと同時に、携帯端末２０の本来の感知装置（例えばジャイロスコープセンサや加速度センサ等）により検知した動作の代わりに、ＷｉＦｉやブルートゥース等の無線接続方式を利用して人形１０とリンク接続し、人形１０の感知モジュール１０３により検知した動作の返答メッセージを受信し、即ち、人形１０の動作で携帯端末２０を操作することができ、さらに一般の携帯端末２０に実行可能なアプリケーションであれば、人形１０により制御することができる。例えば、一部のゲームプログラムを、人形１０を利用して操作するほうがより面白くできる。
【００５１】
図１０は、本発明の対話型アプリケーションを示すブロック図である。図示のように、対話型アプリケーション４００は、教育学習プログラム４０１、ゲームプログラム４０２及びオンラインサービスプログラム４０３を含む。ここで、教育学習プログラム４０１は、言語学習、科学知識や数学算数等の各種の異なる内容を含む。言語学習を例とすると、年齢の小さい子どもに対し、単語認識、読字、発音等の言語学習をするアプリケーションが提供されている。一方、年齢の大きい使用者に対し、語彙、文法、聴解等の練習または各種の外国語学習をするアプリケーションが提供されている。日常の家庭生活を送る中で、人形と触れ合いながら各種の言語を学習することができる。ゲームプログラム４０２は、子どもに最も興味を持たせる機能であり、知識ゲームのみならず、ロジック推理ゲームやアクションゲーム等様々な種類のゲームは、いずれもクラウドサーバを経由してアクセスすることができる。ゲームの特性が夫々異なるため、大部分のゲームプログラム４０２を表示装置に接続して表現させ、その結果、より好適なゲーム効果が得られる。この時、一般のマウスやスティック等の操作装置の代わりに、使用者が人形を用いてゲームをやることができる。ほかに、オンラインサービスプログラム４０３については、オンライントーキングブック、オンラインラジオや天気予報等のサービスを含む。人形を経由してクラウドサーバ内に提供されるオンラインサービスプログラム４０３を選択することで、人形を経由してそれらのサービスの内容を再生することができる。クラウドにオンラインサービスの内容の更新を行うにつれて、使用者は人形から得られる再生情報も更新され、録音された同様な音声しか聞こえないことがなくなる。
【００５２】
図１１は、本発明の別の対話型人形の操作装置を示すブロック図である。再び図１１を参照し、図示のように、人形１１は、マイクロコントローラー１１０を備え、マイクロコントローラー１１０にはモノのインターネットの無線モジュール１１１と、スピーカモジュール１１２と、各種の異なる感知モジュールとがそれぞれ接続されている。ここで、モノのインターネットの無線モジュール１１１と、スピーカモジュール１１２とは、前述した実施例に類似するため、ここでは説明を省略する。クラウドに接続して対話型アプリケーションを実行する場合、各種の感知装置の検知機能により操作上の多様性が提供される。図中から分かるように、感知装置は、加速度センサ１２１、ジャイロスコープセンサ１２２、距離センサ１２３、照度センサ１２４、高さセンサ１２５、電子コンパス１２６、温度センサ１２７及び一酸化炭素センサ１２８を備える。なお、人形１１は、異なる設計及び操作方式に基づいて１種または２種以上の感知装置を選択して取り付けてもよい。ただし、本発明はこれに限定されるものではない。上記の感知装置において、最も使用し慣れているのは、加速度センサ１２１及びジャイロスコープセンサ１２２である。人形１１により対話型アプリケーションを再生する（例えばオンラインラジオを聴く）場合、人形１１自身は、本来なら、チャネル選局や音量調整等の操作インターフェースを有しないが、もし人形１１内に加速度センサ１２１及びジャイロスコープセンサ１２２を備えれば、人形１１をクラウドサーバ４０にリンク接続してオンラインラジオを再生する時に、加速度センサ１２１を利用して使用者が人形１１を揺動するのを検知すると、次の放送局へ移り、また、ジャイロスコープセンサ１２２を利用して使用者が人形１１を回転するのを検知すると、音量を大きく調整したり、小さく調整したりすることができる。これにより、人形を簡単な操作プラットホームとすることができる。
【００５３】
このほかに、距離センサ１２３及び照度センサ１２４は、使用者が人形１１との間の距離や使用環境の状態を検知できるので、使用者が人形１１から一定距離を離れる場合や灯消しによる明るさの変化が起きる場合などでは、マイクロコントローラー１１０により直ちに対話型アプリケーションを終了するか、または再生音量を小さく調整することができるので、人形１１は無駄な電力消費を抑えることができる。ほかに、高さセンサ１２５及び電子コンパス１２６は、人形１１の所在位置に対して検知や位置決めを行い、子どもは、人形１１を連れて家中のいかなるところに移動する可能性があるので、位置決めを行うことで自動的に人形１１が書斎に入ると途端に学習プログラムを起動したり、居間や遊び部屋に入ると途端にゲームプログラムを起動したりすることができる。なお、いくつかの天気予報を選択した場合、測定された異なる温度区間によって色々なコーディネートアドバイスが提供され、また一酸化炭素センサでは、主に予防するための警報装置であり、近くに保護者がいない時に、もし基準値を超える一酸化炭素濃度が検知された場合、自動的にアプリケーションを起動して通報するようにし、事故の発生を未然に防ぐことができる。
【００５４】
上記の感知装置において、一般に、最も使用し慣れているのは、依然として加速度センサ１２１及びジャイロスコープセンサ１２２である。人形の位置や方向の変化は、使用者が人形に対して最も多く見られる操作動作であるため、加速度センサ１２１及びジャイロスコープセンサ１２２を利用する場合では、対話型アプリケーションを最も簡単かつ直接的に操作することができる。例えば、もし一部のゲームプログラムを表示装置に接続して表現させる場合、使用者は、人形１１の移動により画面の表示に合わせてこれらのゲームをより楽しくやることができる。さらに、人形１１は、音声を拾うマイクロホン１１３を設置してもよく、それは人形１１の録音モジュールとして働き、人形１１の動作を検知するほかに、使用者は、マイクロホン１１３を介して音声を入力することもできる。そして、入力した音声を対話型アプリケーションに返送し、音声に表す意味を音声認識して使用者がプログラムに対する返答とし、これに基づいて対応する結果を生成する。例えば、人形１１をクラウドの伝言メモ作成プログラムに接続して、保護者の伝言メッセージを聞いた後に、同様に返答メッセージを録音して伝言メモ作成プログラムに返送すると、自分の口で直接伝わらない言葉を伝達することができるので、より一層親世帯と子世帯間でコミュニケーション及び対話を増加させることができる。
【００５５】
以上は実施態様の列挙であり、本発明になんらの制限を加わるものではない。本発明の精神と範囲を逸脱しない限り、その等効果修正又は変更は、なお、本明細書特許請求の範囲に含まれるものとする。
【符号の説明】
【００５６】
１、１０、１１：人形
２ａ、２ｂ、２０：携帯端末
３、３０：無線ネットワーク基地局
４、４０：クラウドサーバ
１００、１１０：マイクロコントローラー
１０１、１１１：モノのインターネットの無線モジュール
１０２：スピーカモジュール
１０３：感知モジュール
１１２：スピーカー
１１３：マイクロホン
１１４：カメラ
１１５：押しボタン
１１６：ＬＥＤ表示ランプ
１１７：アンテナ
１１８：電源供給装置
１２１：加速度センサ
１２２：ジャイロスコープセンサ
１２３：距離センサ
１２４：照度センサ
１２５：高さセンサ
１２６：電子コンパス
１２７：温度センサ
１２８：一酸化炭素センサ
２００：無線ネットワークモジュール
２０１：アプリケーション
２０２：表示装置
４００：対話型アプリケーション
４０１：教育学習プログラム
４０２：ゲームプログラム
４０３：オンラインサービスプログラム
【図１】
2015167859.tif 000003
【図２】
2015167859.tif 000004
【図３】
2015167859.tif 000005
【図４】
2015167859.tif 000006
【図５】
2015167859.tif 000007
【図６】
2015167859.tif 000008
【図７】
2015167859.tif 000009
【図８】
2015167859.tif 000010
【図９】
2015167859.tif 000011
【図１０】
2015167859.tif 000012
【図１１】
2015167859.tif 000013